(57)【要約】【課題】ボトル容器に冠着されるカップ兼用のオーバーキャップについて、ボトル容器からの取り外しが容易で、カップ容器として使用したときには、カップ内の飲料を抵抗なくスムーズに口に入れることができ、また、カップ内に飲料を残留させないようにする。【解決手段】ボトル容器から取り外した状態でカップ容器として使用されるプラスチック製のオーバーキャップ１において、キャップが装着された状態の容器口部と嵌合するための嵌合部１３を、少なくとも一個以上の縦方向の切欠部１４により円筒形状が周方向で部分的に断たれた略円筒形状で、オーバーキャップ１の天板部１１の内面から一体的に垂下形成させて、この嵌合部１３の切欠部１４を、オーバーキャップ１の天板部１１の内面にまで到達させる。【選択図】        図２
2005067613.tif 000002
【特許請求の範囲】
【請求項１】
キャップによりリシール可能に密閉されるボトル容器に対して、キャップが装着された容器口部の付近をカバーするようにボトル容器に冠着されると共に、ボトル容器から取り外した状態でカップ容器として使用されるプラスチック製のオーバーキャップにおいて、キャップが装着された状態の容器口部と嵌合するための嵌合部が、少なくとも一個以上の縦方向の切欠部により円筒形状が周方向で部分的に断たれた略円筒形状で、オーバーキャップの天板部の内面から一体的に垂下形成されており、この嵌合部の切欠部が、オーバーキャップの天板部の内面にまで到達していることを特徴とするボトル容器用オーバーキャップ。
【請求項２】
キャップが装着された状態の容器口部に対して、オーバーキャップの略円筒状の嵌合部の内周面には、キャップを含む容器口部の外周面の所定箇所と係合するように、周方向に沿って内方に突出する係合用の突部が形成されていると共に、キャップの頂面に当接するように、縦方向に沿って内方に突出する緩衝用のリブが、周方向で間隔を置いて複数形成されていることを特徴とする請求項１に記載のボトル容器用オーバーキャップ。
【発明の詳細な説明】
【０００１】
【発明の属する技術分野】
本発明は、ボトル型缶やＰＥＴボトルのようなボトル容器に冠着されるプラスチック製のオーバーキャップであって、キャップが装着された容器口部の付近をカバーすると共に、ボトル容器から取り外したときにはカップ容器として使用されるようなカップ兼用のボトル容器用オーバーキャップに関する。
【０００２】
【従来の技術】
飲料用の容器として使用されている金属製のボトル型缶や樹脂製のＰＥＴボトルのようなボトル容器において、リシール（再密閉）が可能なようにネジキャップ等が装着されている容器口部の付近をカバーするように、カップ形状に形成されたオーバーキャップを容器に冠着しておくことで、ボトル容器に飲料が充填・密封された飲料製品が商品として流通され陳列販売される際に、ボトル容器の口部の付近に埃や汚れが付着するのを防止すると共に、消費者が商品を購入して容器を開封してから中身の飲料を飲用する際に、容器から取り外したオーバーキャップをカップ容器として使用する、ということが従来から公知となっている（特許文献１〜３等参照）。
【０００３】
【特許文献１】
特開２００２−３４７７９６号公報
【特許文献２】
特開２００３−８１３０２号公報
【特許文献３】
実用新案登録第３０８６７１２号公報
【０００４】
【発明が解決しようとする課題】
ところで、上記のような従来公知のボトル容器用のカップ兼用オーバーキャップについて、例えば、上記の特許文献２に記載されたオーバーキャップ（ボトルカバー１０）では、ボトル容器の口部から肩部にかけて略全面的に接触するようにオーバーキャップが形成されていることから、ボトル容器からオーバーキャップを取り外す際に、両者の接触面積が大きいことで取り外し難いものになっていると共に、オーバーキャップの形状がボトル容器の上部形状に類似した形状に限定されてしまうことから、カップ容器としてオーバーキャップを逆さに置いた時に不安定な形状のものとなっている。
【０００５】
また、上記の特許文献３に記載されたオーバーキャップ（カップ３）では、ボトル容器の肩部（頸部１１ｂ）と胴部（主部１１ａ）の境界付近に周状の溝部（周溝１１０）を形成し、オーバーキャップ（カップ３）のスカート部（胴部３１）の末端付近の内周面に周状の突起（突周状３１０）を形成して、該突起と溝部を係合させることでオーバーキャップをボトル容器に冠着していることから、ボトル容器からオーバーキャップを取り外す際に、オーバーキャップの下端付近が全周的に容器と嵌合して取り外し難いものとなっている。
【０００６】
そして、取り外したオーバーキャップをカップ容器として使用する際には、カップの飲み口の内側に周状の突起があることから、この突起がカップに口をつけて飲むときの飲料の流れを妨害するものとなる。しかも、オーバーキャップの周状の突起に対応して、ボトル容器に周状の溝部を設ける必要があることから、ＰＥＴボトルのような樹脂製のボトル容器の場合はともかくも、金属製のボトル型缶では、周状の溝部を成形することで、余計な工程が増え、また、缶種が増えるだけでなく、容器自体の強度にも影響を与えることとなる。
【０００７】
さらに、特許文献１には、ボトル容器のオーバーキャップとなるカップ容器（市販ボトル装着用容器）について幾つかの異なる実施形態が記載されているが、そこに記載されたオーバーキャップ（市販ボトル装着用容器）では、その何れにおいても、オーバーキャップの下端内面（カップ容器として置いたときには上端内面となる）には全周的な突起（フランジ部１８や係合突起５４や雄ねじ６０等）が形成されていて、これがカップに口をつけて飲むときの飲料の流れを妨害するものとなる。また、カップ容器（オーバーキャップ）の内周面に係合突起や雄ねじを設けているような実施形態のものでは、それに対応する溝部や雌ねじをボトル容器の側にも形成することが必要となるため、上記の場合と同様に、金属製のボトル型缶では実施し難いものとなっている。
【０００８】
また、特許文献１には、オーバーキャップ（市販ボトル装着用容器）の天板部（カップ容器の底部）から円筒状の係合部を一体的に形成して、この円筒状の係合部にボトル容器のキャップ（蓋２４）を係合させるような実施形態が示されているが、そのような実施形態のものでは、オーバーキャップをカップ容器として使用する場合に、その内部に係合されたままのボトル容器のキャップの内側に飲料が少しは残留することとなり、また、円筒状の係合部からボトル容器のキャップを取り外したとしても、円筒状の係合部の内側に飲料が少しは残留することとなるため、何れにしても、オーバーキャップを再びボトル容器の口部に冠着する際に、カップ内に残っている飲料を散蒔いて周りを汚してしまう虞がある。
【０００９】
本発明は、上記のような問題の解消を課題とするもので、具体的には、ボトル容器に冠着されるカップ兼用のオーバーキャップについて、ボトル容器からの取り外しが容易で、カップ容器として使用したときには、カップ内の飲料を抵抗なくスムーズに口に入れることができ、また、カップ内に飲料を残留させないようにすることを課題とするものである。
【００１０】
【課題を解決するための手段】
本発明は、上記のような課題を解決するために、キャップによりリシール可能に密閉されるボトル容器に対して、キャップが装着された容器口部の付近をカバーするようにボトル容器に冠着されると共に、ボトル容器から取り外した状態でカップ容器として使用されるプラスチック製のオーバーキャップにおいて、キャップが装着された状態の容器口部と嵌合するための嵌合部を、少なくとも一個以上の縦方向の切欠部により円筒形状が周方向で部分的に断たれた略円筒形状で、オーバーキャップの天板部の内面から一体的に垂下形成させて、この嵌合部の切欠部を、オーバーキャップの天板部の内面にまで到達させることを特徴とするものである。
【００１１】
上記のような構成によれば、ボトル容器からオーバーキャップを取り外す際には、容器に対してオーバーキャップをずらし易く傾け易いことから、オーバーキャップのスカート部を手で掴んで容易に取り外すことができる。そして、取り外したオーバーキャップをカップ容器として使用する際には、カップの飲み口（オーバーキャップのスカート部の下端付近）の内側に係合用の突起がないことから、カップに口をつけて飲料を飲むときに、突起により妨害されるようなことなく、飲料が口内にスムーズに流れ込むこととなる。また、カップ内に形成されているボトル容器との嵌合部には、カップの底面（オーバーキャップの天板部の内面）にまで達する切欠部が形成されているため、この嵌合部の内側に飲料を残留させるようなことなく、カップ内の飲料を残さず飲み干すことができる。
【００１２】
【発明の実施の形態】
以下、本発明のボトル容器用オーバーキャップの実施形態について図面に基づいて詳細に説明する。なお、本発明のオーバーキャップの一実施形態について、図１は、（Ａ）側方から見た形状と、（Ｂ）下方から見た形状とをそれぞれ示し、図２は、図１（Ｂ）のＡ−Ａ線に沿った断面形状を示し、図３は、ボトル容器に冠着した状態を断面形状で示し、図４は、カップ容器として逆さに置いて斜め上方から見た状態を示すものである。また、図５および図６は、本発明のオーバーキャップの異なる他の各実施形態について、それぞれボトル容器に冠着した状態を断面形状で示すものである。
【００１３】
本発明の一実施形態に係るボトル容器用のオーバーキャップは、例えば、ポリエチレン，ポリプロピレン，ポリエステル等のような適度な弾性力を有する任意の合成樹脂材料から製造されるものであって、図１（Ａ）に示すように、オーバーキャップ１には、比較的広い面積の平坦面を有する天板部１１の外縁から下方に、カップ容器の胴部に適した適宜の形状のスカート部１２が一体的に形成されていて、天板部１１の側が下となるようにオーバーキャップ１を逆さにした状態で、カップ容器として安定的に使用できるような形状となっている。
【００１４】
そのような本実施形態のオーバーキャップ１では、図２に示すように、天板部１１の内面から下方に、ボトル容器の口部（キャップが装着された口部）に嵌合させるための嵌合部１３が一体的に垂下形成されており、この嵌合部１３は、本実施形態では、図１（Ｂ）に示すように、２箇所の縦方向の切欠部１４により円筒形状が周方向で部分的に断たれるような略円筒形状（切欠部１４の部分で円筒形状が２つ割りにされた形状）に形成されていて、この嵌合部１３の各切欠部１４は、何れも、天板部１１の内面にまで到達するように切り欠かれている。
【００１５】
そして、この略円筒状の嵌合部１３の内周面において、図２に示すように、嵌合部１３の下端付近には、ボトル容器の口部と係合させるために、周方向に沿って内方に突出する係合用の突部１５が形成されており、また、嵌合部１３の上部には、ボトル容器の口部に装着されたキャップの頂面の周辺部に当接させるために、縦方向に沿って内方に突出する緩衝用のリブ１６が、天板部１１の内面から一体的に下方に延びるように、本実施形態では、周方向で間隔を置いて４本形成されている。
【００１６】
上記のような構造を備えた本実施形態のオーバーキャップ１は、ボトル型缶やＰＥＴボトルのようなボトル容器に対して、図３に示すように、キャップ２１が装着された状態のボトル容器２の口部２２の付近をカバーするように冠着されると共に、ボトル容器から取り外したときには、図４に示すように、逆さにした状態でカップ容器として使用されるものである。
【００１７】
オーバーキャップ１のボトル容器への冠着について、本実施形態では、図３に示すように、ネジキャップ２１によりリシール可能に密閉されたボトル容器２に対して、ネジキャップ２１が装着された口部２２から肩部２３の付近をカバーするようにオーバーキャップ１が冠着されており、オーバーキャップ１の嵌合部１３は、その下端付近の内周面に形成された周方向に延びる突部（突条部）１５がネジキャップ２１の下端に係合した状態で、ネジキャップ２１が装着された状態の口部２２に嵌合されていて、この状態において、嵌合部１３の上部内周面に形成されている各リブ１６の下端は、何れも、ネジキャップ２１の頂面の周辺部に当接するようになっている。
【００１８】
上記のような本実施形態のボトル容器用オーバーキャップによれば、ボトル容器２のネジキャップ２１が装着された口部２２に対して、オーバーキャップ１の嵌合部１３を上方から嵌合させることで、オーバーキャップ１をボトル容器２に確実に冠着させることができて、ボトル容器２の口部２２の付近に埃等が付着するのを防止することができる。しかも、ボトル容器２からオーバーキャップ１を取り外す際には、オーバーキャップ１のスカート部１２を手で掴んで、オーバーキャップ１を容易にずらせたり傾けたりすることができることから、オーバーキャップをボトル容器２から容易に取り外すことができる。
【００１９】
また、オーバーキャップ１をカップ容器として使用する際には、カップの飲み口（スカート部１２の下端付近）の内側に係合用の突起がないことから、カップに口をつけて飲料を飲む時に、突起により妨害されるようなことなく、飲料をスムーズに口に流し込むことができる。また、カップ容器の底面から立ち上がっている（言い換えれば、オーバーキャップ１の天板部の内面から垂下形成されている）略円筒形状の嵌合部１３には、カップの底面（オーバーキャップの天板部の内面）にまで到達するように切欠部１４が形成されているため、各切欠部１４の何れかが下になるようにカップ容器（オーバーキャップ１）を傾けて飲むようにすることで、嵌合部１３の内側に飲料を残留させるようなことなく、カップ内の飲料を残さず飲み干すことができる。その結果、カップ容器（オーバーキャップ１）に注がれた飲料を飲み終わった後で、ネジキャップ２１により再密閉された状態のボトル容器２の口部２２に対してオーバーキャップ１を再び冠着する時に、カップ内に残った飲料を周りに散蒔くようなことはない。
【００２０】
なお、ボトル容器に冠着される従来のカップ兼用オーバーキャップでは、オーバーキャップをボトル容器に冠着させた状態で、ボトル容器の口部に装着されたキャップの頂面を、オーバーキャップの天板部内面に直接に当接させていることから、オーバーキャップ付きボトル容器を誤って逆さに落下させたような場合に、その衝撃によってオーバーキャップやボトル容器の口部（キャップを含む）が破損したり変形したりすることで、オーバーキャップをカップ容器として使用できなかったり、ボトル容器のキャップを開栓できなかったり、ボトル容器の口部の変形により中身の飲料が漏れ出したりするような虞があった。
【００２１】
これに対して、本実施形態のオーバーキャップ１では、その嵌合部１３の内周面に、周方向で間隔を置いて複数本（４本）のリブ１６を緩衝用として形成しており、各リブ１６の下端をネジキャップ２１の頂面に当接させていることから、落下時等においてオーバーキャップ１や容器口部２２（キャップ２１を含む）にかかる衝撃を各リブ１６の部分で吸収することができて、オーバーキャップ１や容器口部２２（キャップ２１を含む）が破損したり変形したりするのを防止することができる。
【００２２】
以上、本発明のボトル容器用オーバーキャップの一実施形態について説明したが、本発明は、上記の実施形態に示した具体的な構造にのみ限定されるものではなく、例えば、図５および図６により他の実施形態として示すように、オーバーキャップ１のスカート部１２（カップ容器の胴部）の形状や、オーバーキャップ１の嵌合部１３に形成される緩衝用のリブ１６の長さついては適宜に変更可能なものであり、また、嵌合部１３に形成されるリブ１６の数や切欠部１４の数についても適宜に変更可能なものであって、さらに、オーバーキャップ１の嵌合部１３とボトル容器２の口部２２との係合構造についても、上記の実施形態に示したような、嵌合部１３の下端付近の内周面に形成された周方向に延びる突部（突条部）１５をネジキャップ２１の下端に係合させるような構造に限らず、嵌合部１３の突部１５については、横幅の短い突部を周方向に沿って多数設けるようにしても良く、或いは、ネジキャップの下端に係合するような突部ではなく、ネジキャップのネジ部の外面側と係合（螺合）するような突部であっても良い等、適宜に設計変更可能なものであることは言うまでもない。
【００２３】
【発明の効果】
以上説明したような本発明のボトル容器用オーバーキャップによれば、オーバーキャップをボトル容器に確実に冠着させることができて、しかも、ボトル容器からオーバーキャップを取り外す際には、オーバーキャップのスカート部を手で掴んで容易に取り外すことができる。また、オーバーキャップをボトル容器から取り外した後でカップ容器として使用する際には、カップ内の飲料を抵抗なくスムーズに口に流し込むことができ、また、カップ内の飲料を残さず飲み干すことができて、オーバーキャップを再びボトル容器の口部に冠着する時にカップ内に残った飲料を周りに散蒔くようなことはない。
【図面の簡単な説明】
【図１】本発明のボトル容器用オーバーキャップの一実施形態について、（Ａ）側方から見た形状を示す側面図、および（Ｂ）下方から見た形状を示す底面図。
【図２】図１（Ｂ）のＡ−Ａ線に沿った断面図。
【図３】図２に示したオーバーキャップをボトル容器に冠着した状態を示す部分断面側面図。
【図４】図１に示したオーバーキャップについて、カップ容器として逆さに置いて斜め上方から見た状態を示す斜視図。
【図５】本発明のボトル容器用オーバーキャップの他の実施形態について、オーバーキャップをボトル容器に冠着した状態を示す部分断面側面図。
【図６】本発明のボトル容器用オーバーキャップの更に他の実施形態について、オーバーキャップをボトル容器に冠着した状態を示す部分断面側面図。
【符号の説明】
１        オーバーキャップ
２        ボトル容器
１１      （オーバーキャップの）天板部
２１      （ボトル容器の）キャップ
２２      （ボトル容器の）口部
１３      （オーバーキャップの）嵌合部
１４      （嵌合部の）切欠部
１５      （係合用の）突部
１６      （緩衝用の）リブ
【図１】
2005067613.tif 000003
【図２】
2005067613.tif 000004
【図３】
2005067613.tif 000005
【図４】
2005067613.tif 000006
【図５】
2005067613.tif 000007
【図６】
2005067613.tif 000008